(57)【要約】【課題】携帯端末装置に大きな外力がかかった場合にサブＬＣＤまたはメインＬＣＤが変形もしくは破壊されることを防止しかつ薄型化または軽量化することができ、さらに、サブディスプレイを大型化した場合にも、サブディスプレイモジュールの筐体への取付け時にサブディスプレイにかかるストレスを軽減でき、サブディスプレイの損傷などを防ぐことができるようにする。【解決手段】第一の筐体１と、筐体の一方の面にメインＬＣＤ２４を配設し他方の面にサブＬＣＤ５５を配設した第二の筐体２と、第一の筐体１と第二の筐体２とを回動自在に連結したヒンジ部３とを備えた折り畳み式携帯電話機１００において、先端に係止爪５１３を形成した係止腕５１１が外周部に設けられて、サブＬＣＤ５５を保持するサブＬＣＤホルダ５１と、第二の筐体２の係止爪５１３の位置に対応した位置に配設した受け枠部２８と、を備える。【選択図】図７
2010114624.tif 000002
【特許請求の範囲】
【請求項１】
操作部と制御部を有する第一の筐体と、筐体の一方の面にメインディスプレイを配設し他方の面にサブディスプレイを配設した第二の筐体と、前記第一の筐体と前記第二の筐体とを回動自在に連結したヒンジ部とを備え、前記メインディスプレイと前記サブディスプレイとが、少なくとも一部が互いに上下方向に重なる位置に配置された携帯端末装置において、
先端に係止爪を形成した係止腕が外周部に設けられて、前記サブディスプレイを保持するサブディスプレイホルダと、
前記第二の筐体の前記係止爪の位置に対応した位置に配設した受け枠部と、を備え、
前記係止爪を前記受け枠部に遊合させることにより前記サブディスプレイホルダを前記第二の筐体に保持することを特徴とする携帯端末装置。
【請求項２】
前記サブディスプレイホルダは、前記係止腕が設けられた外周部の対辺側の外周部に前記係止腕よりも腕の短い係止部が設けられていることを特徴とする請求項１に記載の携帯端末装置。
【請求項３】
前記サブディスプレイホルダは、前記係止腕が設けられた外周部の対辺側の外周部にフランジ部が設けられていることを特徴とする請求項１又は請求項２に記載の携帯端末装置。
【請求項４】
前記サブディスプレイは、フレキシブル配線を介して電気信号の接続のためのコネクタが設けられ、
前記係止腕は前記コネクタ又は前記コネクタと接続されている信号配線を跨いでいることを特徴とする請求項１乃至請求項３のいずれか１項に記載の携帯端末装置。
【発明の詳細な説明】
【技術分野】
【０００１】
本発明は、筐体の両面に液晶表示装置等の表示手段を設けた携帯端末装置に関し、特に筐体の一方の面にいわゆるメインディスプレイを配置し、他方の面にいわゆるサブディスプレイを配置した携帯端末装置に関する。
【背景技術】
【０００２】
従来の折り畳み式携帯電話機のような携帯端末装置は、第二の筐体を開いたときに各種の表示を行なうメインＬＣＤを配設する一方で、第二の筐体を折り畳んだ状態でも着信状態や時刻などを表示するためのサブＬＣＤを配設したものが実用化されている。
【０００３】
この携帯端末装置は、ズボンの後ろポケットに携帯端末装置をいれた状態で座って携帯端末装置の筐体が押しつけられたりまたは携帯端末装置を床に落としたりすることがある。
【０００４】
これらの場合、大きな外力がかかり、サブＬＣＤまたはメインＬＣＤを変形もしくは破壊してしまうことを防止するために、メインＬＣＤを覆って保護すると同時にサブＬＣＤを支持するブラケットを設けたものが知られている（例えば、特許文献１）。
【特許文献１】特開２００６−２２７６２７号公報
【発明の開示】
【発明が解決しようとする課題】
【０００５】
しかしながら、折り畳み式携帯電話機のような携帯端末装置は、手のひらで操作または筐体を折り畳んだ状態でポケットや鞄に入れたり、あるいは手に持って携行したりするため、筐体の高強度かつ小型軽量化あるいは筐体の高強度かつ薄型化が要求される。
【０００６】
特許文献１の携帯端末装置は、筐体の高強度化にはよいが、ブラケットの占めるスペースが大きくなるため、筐体の小型軽量化あるいは薄型化のためには必ずしも最適ではない。
【０００７】
本発明は、このような従来の課題を解決するためになされたもので、筐体の一方の面にメインディスプレイを配設し他方の面にサブディスプレイを配設した携帯電話機等の携帯端末装置において、携帯端末装置に大きな外力がかかった場合にサブＬＣＤまたはメインＬＣＤが変形もしくは破壊されることを防止しかつ薄型化または軽量化することができる携帯端末装置を提供することを目的とする。
【課題を解決するための手段】
【０００８】
本発明の携帯端末装置は、操作部と制御部を有する第一の筐体と、筐体の一方の面にメインディスプレイを配設し他方の面にサブディスプレイを配設した第二の筐体と、前記第一の筐体と前記第二の筐体とを回動自在に連結したヒンジ部とを備え、前記メインディスプレイと前記サブディスプレイとが、少なくとも一部が互いに上下方向に重なる位置に配置された携帯端末装置において、先端に係止爪を形成した係止腕が外周部に設けられて、前記サブディスプレイを保持するサブディスプレイホルダと、前記第二の筐体の前記係止爪の位置に対応した位置に配設した受け枠部と、を備え、前記係止爪を前記受け枠部に遊合させることにより前記サブディスプレイホルダを前記第二の筐体に保持することを特徴とする。
【０００９】
この構成により、携帯端末装置に大きな外力がかかった場合にサブディスプレイまたはメインディスプレイが変形もしくは破壊されることを防止しかつ薄型化または軽量化することができる携帯電話機等の携帯端末装置を提供することができる。
【００１０】
さらに、サブディスプレイを大型化した場合にも、サブディスプレイモジュールの第二の筐体への取付け時にサブディスプレイにかかるストレスを軽減でき、サブディスプレイの損傷などを防ぐことができる。
【発明の効果】
【００１１】
本発明の携帯端末装置は、筐体の一方の面にメインディスプレイを配設し他方の面にサブディスプレイを配設した携帯電話機等の携帯端末装置において、携帯端末装置に大きな外力がかかった場合にサブディスプレイまたはメインディスプレイが変形もしくは破壊されることを防止しかつ薄型化または軽量化することができる。
【００１２】
さらに、サブディスプレイを大型化した場合にも、サブディスプレイモジュールの第二の筐体への取付け時にサブディスプレイにかかるストレスを軽減でき、サブディスプレイの損傷などを防ぐことができる。
【発明を実施するための最良の形態】
【００１３】
以下、本発明の実施の形態の携帯端末装置について、図面を用いて説明する。
【００１４】
（実施の形態１）
図１は、本発明の実施の形態１における携帯端末装置である折り畳み式携帯電話機１００の閉じた状態を示す外観斜視図である。
【００１５】
図１において、折り畳み式携帯電話機１００は、操作部と制御部を有す第一の筐体１と、筐体の一方の面にメインＬＣＤを配設し他方の面にサブＬＣＤを配設した第二の筐体２とを、ヒンジ部３で矢印Ａ方向に回動自在に連結している。なお、第一の筐体１は下筐体と、第二の筐体２は上筐体と、それぞれ呼ぶ場合もある。
【００１６】
図１のように、折り畳み式携帯電話機１００を折り畳んだ状態では、後述するサブＬＣＤパネル２１ｂの下方に、破線で示すサブＬＣＤホルダ５１にサブＬＣＤ５５やフレキシブル基板５４などを予めアッセンブリしたサブＬＣＤモジュール５が配設されている。
【００１７】
図２は、折り畳み式携帯電話機１００の第二の筐体２の断面図である。図２において、第二の筐体２は、透明プラスチック板からなるメインＬＣＤパネル２１ａを取り付けたカバー（ｃｏｖｅｒ）２ａと透明プラスチック板からなるサブＬＣＤパネル２１ｂを取り付けたケース（ｃａｓｅ）２ｂとが上下方向に合体されている。
【００１８】
なお、カバー２ａはアッパーカバー（ｕｐｐｅｒ  ｃｏｖｅｒ）と、ケース２ｂはアッパーケース（ｕｐｐｅｒ  ｃａｓｅ）と、それぞれ呼ぶ場合もある。
【００１９】
図２に示すように、メインＬＣＤパネル２１ａ等（メインディスプレイ）とサブＬＣＤパネル２１ｂ等（サブディスプレイ）とは、少なくとも一部が互いに上下方向に重なる位置に配設されている。
【００２０】
カバー２ａには厚さ０．３ｍｍ程度のステンレス板からなるバックライト反射板２２がインサート成型され、バックライト反射板２２の下方に透明プラスチック板からなるメインＬＣＤ用導光板２３と表示器となるメインＬＣＤ２４とがメインＬＣＤホルダ２５によって保持されている。
【００２１】
バックライト反射板２２の上方にはプリント基板４が配設されており、プリント基板４の上方には、サブＬＣＤモジュール５がさらに配設されている。
【００２２】
ここで、サブＬＣＤモジュール５は、サブＬＣＤホルダ５１に表示器となるサブＬＣＤ５５と、透明プラスチック板からなるサブＬＣＤ用の導光板５３と、サブＬＣＤ５５に通電し信号配線に接続するフレキシブル基板５４と、サブＬＣＤ５５の上面周囲に貼付した防塵用スポンジ５６と、を予めアッセンブリしたものである。
【００２３】
また、プリント基板４の上方にサブＬＣＤモジュール５が配設されて、サブＬＣＤモジュール５の防塵用スポンジ５６を圧接する状態でケース２ｂを被せている。
【００２４】
図３は、本実施の形態１のサブＬＣＤホルダ５１とサブＬＣＤ５５とのアッセンブリを示す分解斜視図である。
【００２５】
図３において、サブＬＣＤホルダ５１は、可撓性を有す部材で成型された略Ｌ形断面の四角い枠状であり、その枠の内側にサブＬＣＤ５５が矢印Ｂ方向より嵌め込まれ接着剤あるいは接着テープで接着貼付されている。
【００２６】
サブＬＣＤホルダ５１の枠状の一辺の外周には外方に突出した短い腕を有す係止部５１２ａ、５１２ｂが一体的に形成され、それぞれの係止部５１２ａ、５１２ｂの先端には係止爪５１４ａ、５１４ｂが形成されている。
【００２７】
また、係止部５１２ａ、５１２ｂが形成された対辺側の外周には、前述の係止部５１２ａ、５１２ｂより長い腕を有す係止腕５１１が一体的に形成され、その係止腕５１１の先端には前述の係止爪５１４ａ、５１４ｂと同形状の係止爪５１３が形成されている。
【００２８】
ここで、係止部５１２ａ、５１２ｂの腕の長さは、係止腕５１１の腕の長さよりも短い。すなわち、係止腕５１１の腕の長さは、係止部５１２ａ、５１２ｂの腕の長さよりも長い。ここで、係止部５１２ａ、５１２ｂの腕の長さを、係止腕５１１の腕の長さよりも短くしたことにより、その短くした分だけサブＬＣＤ５５を大型化することができる。
【００２９】
また、サブＬＣＤホルダ５１の枠状の一辺の係止部５１２ａ、５１２ｂが一体的に形成された一辺には、板状のフランジ部５１５がサブＬＣＤホルダ５１の枠状の一辺の外側に沿って一体的に形成されている。フランジ部５１５は、係止部５１２ｂの周辺に形成されている。
【００３０】
なお、図３に示すサブＬＣＤホルダ５１の係止部５１２ａのようにサブＬＣＤホルダ５１の枠状形状の角部付近に設けられた係止部５１２ａの場合には、強度との兼ね合いによりフランジ部５１５を係止部５１２ａの周辺に形成しなくてもよい。または、強度との兼ね合いにより、係止部５１２ａの周辺にもフランジ部５１５を形成してもよい。
【００３１】
なお、サブＬＣＤ５５の上面周囲には、防塵用スポンジ５６が貼付されている。また、サブＬＣＤホルダ５１の下方には、透明プラスチック板からなるサブＬＣＤ用導光板５３とサブＬＣＤ５５に通電するフレキシブル基板５４とが電気的接続状態で配設され接着固定されているが説明を省略する。
【００３２】
次に、図４および図５を用いて、本発明の実施の形態１の特徴であるサブＬＣＤホルダ５１とサブＬＣＤ導光板５３とサブＬＣＤ５５とフレキシブル基板５４と防塵用スポンジ５６とを予めアッセンブリしたサブＬＣＤモジュール５をカバー２ａに保持する方法について説明する。
【００３３】
図４は、サブＬＣＤホルダ５１の枠状の外周に外方に突出した係止部５１２ａ、５１２ｂ、係止腕５１１の先端に形成された係止爪５１４ａ、５１４ｂ、５１３が遊合するカバー２ａに形成された受け枠部２８の斜視図である。
【００３４】
図４において、受け枠部２８は、サブＬＣＤホルダ５１に形成された係止部５１２ａ、５１２ｂ、係止腕５１１の数と同数の数でカバー２ａに同形状で形成されている。
受け枠部２８の形状は、本図に示す如く両側の支柱部２８ａと上部の連結部２８ｂでなり、いわゆる門形の形状で両支柱部２８ａ間の間隔Ｃは遊合する係止爪５１４ａ、５１４ｂ、５１３の幅より若干広くなっている。
【００３５】
図５は、カバー２ａの受け枠部２８にサブＬＣＤモジュール５を取付ける様態を示す摸式的説明図である。
【００３６】
図５において、カバー２ａの指定位置にサブＬＣＤモジュール５を取付けるには、まず、図５に示すようにサブＬＣＤモジュール５の二つの腕の短い係止部５１２ａ、５１２ｂ側が下方になるように全体を斜めに保持して、係止部５１２ａ、５１２ｂの先端の係止爪５１４ａ、５１４ｂをカバー２ａのそれぞれの受け枠部２８の両支柱部２８ａと連結部２８ｂがなす空間に矢印Ｄ方向に差込み、遊合を保持する。
【００３７】
このとき、サブＬＣＤホルダ５１の枠状の一辺に沿って一体的に形成されたフランジ部５１５により、枠状のサブＬＣＤホルダ５１のこの一辺の強度が増すので、サブＬＣＤモジュール５のカバー２ａへの取付け時にサブＬＣＤ５５にかかるストレスが軽減される。これにより、サブＬＣＤ５５の損傷などを防ぐことができる。
【００３８】
次に、図５に破線で示すように、係止爪５１４ａ、５１４ｂがカバー２ａのそれぞれの受け枠部２８に遊合した状態でサブＬＣＤモジュール５に形成された腕の長い可撓性を有する係止腕５１１を下方に湾曲させ、サブＬＣＤモジュール５を矢印Ｅ方向に回動させほぼ水平状態の位置で、係止爪５１３がカバー２ａ側の受け枠部に対向した状態で係止腕５１１を湾曲させている外力を解除すると可撓性を有す係止腕５１１は直線状になり、先端の係止爪５１３は受け枠部の両支柱部２８ａと連結部２８ｂがなす空間に遊合する。
【００３９】
このとき、係止腕５１１が湾曲することにより、サブＬＣＤモジュール５のカバー２ａへの取付け時にサブＬＣＤ５５にかかるストレスが軽減される。これにより、サブＬＣＤ５５の損傷などを防ぐことができる。
【００４０】
これによりサブＬＣＤモジュール５の全ての係止爪５１４ａ、５１４ｂ、５１３はカバー２ａ側の受け枠部２８に遊合し、サブＬＣＤモジュール５はカバー２ａ側に保持される。  しかも、サブＬＣＤ５５を大型化した場合にも、サブＬＣＤモジュール５のカバー２ａ（すなわち第二の筐体２）への取付け時にサブＬＣＤ５５にかかるストレスが軽減でき、サブＬＣＤ５５の損傷などを防ぐことができる。
【００４１】
図６および図７は、折り畳み式携帯電話機１００の第二の筐体２の断面図である。図６および図７において、図２に示す構成と同じものに関しては、同一番号を付して説明は省略する。
【００４２】
図６は、サブＬＣＤモジュール５を構成するサブＬＣＤホルダ５１に形成された腕の短い係止部５１２ａの先端に形成された係止爪５１４ａがカバー２ａの指定位置に形成された受け枠部２８へ遊合し、保持されている状態を示す。
【００４３】
図７は、サブＬＣＤモジュール５を構成するサブＬＣＤホルダ５１に形成された腕の長い可撓性を有す係止腕５１１の先端に形成された係止爪５１３がカバー２ａの指定位置に形成された受け枠部２８へ遊合し、保持されている状態を示す。
【００４４】
なお、図面には示されていないが、サブＬＣＤ５５は、フレキシブル配線であるフレキシブル基板５４を介して電気信号の接続のためのコネクタが設けられ、係止腕５１１はこのコネクタ又はこのコネクタと接続されている信号配線を跨いでいる。
【００４５】
以上のように本実施の形態１の携帯端末装置である折り畳み式携帯電話機１００によれば、サブＬＣＤモジュール５は、係止部５１２ａ、５１２ｂの先端に形成された係止爪５１４ａ、５１４ｂと係止腕５１１の先端に形成された係止爪５１３がカバー２ａ側の受け枠部２８に遊合し保持される。
【００４６】
このため、サブＬＣＤ５５をアッセンブリしたサブＬＣＤホルダ５１の取付けにビスを使用しないため、携帯端末装置の小型化が図れると共に薄型化が図れ、さらに特殊工具を必要とせず容易にカバー２ａに（したがって、第二の筐体２にも）保持することができる。
【００４７】
また、サブＬＣＤホルダ５１の枠状の一辺の外周に外方に突出した短い腕を有す係止部５１２ａ、５１２ｂが一体的に形成され、係止部５１２ａ、５１２ｂが形成された対辺側の外周には、係止部５１２ａ、５１２ｂよりも長い腕を有す係止腕５１１が一体的に形成されている。
【００４８】
このため、サブＬＣＤ５５を大型化した場合にも、サブＬＣＤモジュール５のカバー２ａへの取付け時にサブＬＣＤ５５にかかるストレスが軽減され、サブＬＣＤ５５の損傷などを防ぐことができる。
【００４９】
また、サブＬＣＤホルダ５１の枠状の一辺の係止部５１２ａ、５１２ｂが一体的に形成された一辺には、板状のフランジ部５１５がサブＬＣＤホルダ５１の枠状の一辺の外側に沿って一体的に形成されている。
【００５０】
このため、サブＬＣＤモジュール５のカバー２ａへの取付け時にサブＬＣＤ５５にかかるストレスがさらに軽減され、サブＬＣＤ５５の損傷などを防ぐことができる。
【００５１】
また、係止部５１２ａ、５１２ｂ及び係止腕５１１の先端に形成された係止爪５１４ａ、５１４ｂ、５１３をカバー２ａの（したがって、第二の筐体２の、でもある）受け枠部２８へ遊合状態で係合しているため、折り畳み式携帯電話機１００を変形さす大きな外力や落下時の衝撃の伝達が減衰し、サブＬＣＤホルダ５１にアッセンブリされたサブＬＣＤ５５の変形もしくは破壊を防止することができる。
【００５２】
また、修理サービス時に特殊工具を必要としないためサブＬＣＤモジュール５を容易に取外すことができ、修理サービス後に容易に取付けることができるという効果を有する折り畳み式携帯電話機１００を提供することができる。
【００５３】
なお、本実施の形態１では、サブＬＣＤモジュール５は、係止部５１２ａ、５１２ｂの先端に形成された係止爪５１４ａ、５１４ｂと可撓性を有す係止腕５１１の先端に形成された係止爪５１３がカバー２ａ側の受け枠部２８に遊合し保持されるように説明した。
【００５４】
ただし、本発明はこれに限ることなく、サブＬＣＤモジュール５は、係止部５１２ａ、５１２ｂの先端に形成された係止爪５１４ａ、５１４ｂと可撓性を有す係止腕５１１の先端に形成された係止爪５１３がケース２ｂ側に設けた受け枠部２８に遊合し保持されるようにしてもよい。
【００５５】
このように受け枠部２８がケース２ｂ側に設けられた場合であっても、サブＬＣＤ５５をアッセンブリしたサブＬＣＤホルダ５１の取付けにビスを使用しないため、携帯端末装置の小型化が図れると共に薄型化が図れ、さらに特殊工具を必要とせず容易にケース２ｂに（したがって、第二の筐体２にも）保持することができるなどの同様の効果が得られる。
【００５６】
さらに、サブＬＣＤモジュール５のサブＬＣＤ５５に通電し、信号配線と接続するフレキシブル基板５４を図２、６、７に示すように、サブＬＣＤ５５の一端（一辺）で折り返して他端（他の一辺）に引き出して、信号配線に接続するためのコネクタを設けることが考えられる。
【００５７】
この場合、サブＬＣＤモジュール５の係止爪５１３をケース２ｂ側に設けた受け枠部２８に遊合し保持されるようにすることで、フレキシブル基板５４がプリント基板の上に配設されるのを、サブＬＣＤモジュール５がケース２ｂに固定された後にすることができる。
【００５８】
このため、フレキシブル基板５４の折り返し箇所がプリント基板の上に配設されるときにフレキシブル基板５４の折り返し箇所が発生する反発力によってサブＬＣＤモジュール５のサブＬＣＤ５５がサブＬＣＤホルダ５１の所定位置からずれるという不具合を防止することができる。
【００５９】
さらに、このようにすることで、サブＬＣＤ５５をサブＬＣＤホルダ５１の所定位置に単に配置するだけでよくなり、サブＬＣＤ５５をサブＬＣＤホルダ５１の所定位置に固定するような余計な工数の削減をすることもできる。
【００６０】
また、本実施の形態１では、表示部としてＬＣＤ（液晶表示部）を用いるように説明したが、本発明はこれに限ることなく、サブＬＣＤ５５およびメインＬＣＤ２４のいずれかひとつ又は両者が有機ＥＬ素子を用いた表示装置等の他の表示手段であってもよい。
【００６１】
また、本実施の形態１では、サブＬＣＤ５５をアッセンブリしたサブＬＣＤホルダ５１の枠状の一辺側に二つの短い係止部５１２ａ、５１２ｂを形成し、対辺側にひとつの長い係止腕５１１を形成するように説明したが、本発明はこれに限ることなく、アッセンブリしたサブＬＣＤモジュール５の大きさ、質量などを考慮して係止部５１２ａ、５１２ｂの数や係止腕５１１の数を変更することができる。
【００６２】
また、本実施の形態１では、係止部５１２ａ、５１２ｂ、係止腕５１１の先端に形成した係止爪５１４ａ、５１４ｂ、５１３は全て同形状で、対応する受け枠部２８も全て同形状であるように説明したが、本発明はこれに限ることなく、アッセンブリしたサブＬＣＤモジュール５の大きさ、質量などを考慮し異形状であってもよい。
【００６３】
また、本実施の形態１において、サブディスプレイを保持するサブＬＣＤホルダ５１等のサブディスプレイホルダの底部を、外側に向かってサブＬＣＤホルダ５１の厚さが薄くなるような浅いテーパ形状にすることもできる。
【００６４】
このようなテーパ形状を設けることにより、携帯端末装置の筐体が押圧されたとき、サブディスプレイとメインディスプレイが近接していたとしても、テーパ形状により力が分散されるので、メインディスプレイが変形したり、破壊したりすることをさらに防止することもできる。
【００６５】
また、本実施の形態１では、携帯端末装置として、いわゆる１軸回転タイプの折り畳み式携帯電話機について説明したが、本発明はこれに限ることなく、いわゆる２軸回転タイプの折り畳み式携帯電話機や、縦方向及び横方向の２方向に開閉可能ないわゆる縦横開きタイプの折り畳み式携帯電話機など、筐体の両面に液晶表示装置等の表示手段を設けた携帯電話機などの携帯端末装置であればよい。
【００６６】
（実施の形態２）
以下、本発明の実施の形態２における携帯端末装置である折り畳み式携帯電話機２００について説明する。
【００６７】
本発明の実施の形態１においては、主にいわゆる１軸回転タイプの折り畳み式携帯電話機について説明したが、本発明の実施の形態２においては、本発明を縦方向及び横方向の２方向に開閉可能ないわゆる縦横開きタイプの折り畳み式携帯電話機２００に適用した場合について、さらに説明をする。なお、特に言及しない部分は、実施の形態１と同様である。
【００６８】
図８は、本発明の実施の形態２における折り畳み式携帯電話機の外観及び使い方を説明する図である。図８（ａ）に示すように折り畳み式携帯電話機２００を縦方向に開いた状態で、折り畳み式携帯電話機２００の通話やメール機能を利用できる（「伝える」）。
【００６９】
また、図８（ｂ）に示すように折り畳み式携帯電話機２００を横方向に開いた状態で、折り畳み式携帯電話機２００のテレビ機能やインターネット閲覧機能を利用できる（「見る」）。
【００７０】
さらに、図８（ｃ）に示すように折り畳み式携帯電話機２００を閉じた状態で、あたかもディジタルスチルカメラかのうような使い勝手で、カメラ機能を利用できる（「撮る」）。すなわち、機能に応じて、３つの使いやすい状態（またはスタイル）を有する。
【００７１】
図９は、本発明の実施の形態２における折り畳み式携帯電話機の外観及び使い方のうちの「撮る」使い方を説明する図である。図９に示すように、折り畳み式携帯電話機２００は、閉じた状態で、第二の筐体２の外側に大型のサブＬＣＤ５５が配設され、第一の筐体１の外側にカメラ部６０が配設され、第一の筐体１の側面にシャッターキー７０が配設されている。
【００７２】
本実施の形態２の折り畳み式携帯電話機２００は、実施の形態１で説明したようにサブＬＣＤ５５を大型化できるので、図９（ａ）に示すように閉じた状態で大型のサブＬＣＤ５５を見ながらカメラ部６０を用いて撮影をすることができる。すなわち、あたかもディジタルスチルカメラかのうような使い勝手で、カメラ機能を利用できる。
【００７３】
さらに、通常のディジタルスチルカメラとは異なり、図９（ｂ）に示すように折り畳み式携帯電話機２００を横方向に開いた状態でも、カメラ機能を利用できる。例えば、大型のサブＬＣＤ５５とカメラ部６０とをユーザの方に向けながら撮影することができるので、いわゆる自分撮りに用いる場合に使い勝手がよい。
【００７４】
また、図９（ｃ）に示すようにサブＬＣＤ５５よりも通常さらに大きいメインＬＣＤ２４を見ながらカメラ部を用いて撮影をすることもできる。
【００７５】
以上のように本実施の形態２の携帯端末装置である折り畳み式携帯電話機２００によれば、実施の形態１の折り畳み式携帯電話機１００による効果に加えて、さらに機能に応じて、３つの使いやすい状態（またはスタイル）を有し、使い勝手のよいカメラ機能などを実現できる。
【産業上の利用可能性】
【００７６】
本発明にかかる携帯端末装置は、筐体の一方の面にメインディスプレイを配設し他方の面にサブディスプレイを配設した携帯端末装置において、携帯端末装置に大きな外力がかかった場合にサブＬＣＤまたはメインＬＣＤが変形もしくは破壊されることを防止しかつ薄型化または軽量化することができる。
【００７７】
さらに、サブディスプレイを大型化した場合にも、サブディスプレイモジュールの第二の筐体への取付け時にサブディスプレイにかかるストレスを軽減でき、サブディスプレイの損傷などを防ぐことができる。このため、本発明にかかる携帯端末装置は、携帯電話機、ＰＤＡ、ノートパソコン、携帯型ゲーム機等の携帯端末装置として有用である。
【図面の簡単な説明】
【００７８】
【図１】本発明の実施の形態１における折り畳み式携帯電話機の閉じた状態を示す模式的外観斜視図
【図２】本発明の実施の形態１における折り畳み式携帯電話機の第二の筐体の断面図
【図３】本発明の実施の形態１における折り畳み式携帯電話機のサブＬＣＤホルダとサブＬＣＤとのアッセンブリを示す模式的分解斜視図
【図４】本発明の実施の形態１における折り畳み式携帯電話機のサブＬＣＤホルダの係止爪が遊合するカバーに形成された受け枠部の模式的斜視図
【図５】本発明の実施の形態１におけるカバーの受け枠部にサブＬＣＤモジュールを取付ける様態を示す模式的説明図
【図６】本発明の実施の形態１における折り畳み式携帯電話機のサブＬＣＤモジュールの保持状態を示す第二の筐体の断面図
【図７】本発明の実施の形態１における折り畳み式携帯電話機のサブＬＣＤモジュールの保持状態を示す第二の筐体の断面図
【図８】本発明の実施の形態２における折り畳み式携帯電話機の外観及び使い方を説明する図
【図９】本発明の実施の形態２における折り畳み式携帯電話機の外観及び使い方のうちの「撮る」使い方を説明する図
【符号の説明】
【００７９】
１    第一の筐体
２    第二の筐体
２ａ    カバー
２ｂ    ケース
２１ａ    メインＬＣＤパネル
２１ｂ    サブＬＣＤパネル
２２    バックライト反射板
２３    メインＬＣＤ用導光板
２４    メインＬＣＤ
２５    メインＬＣＤホルダ
２８    受け枠部
２８ａ    支柱部
２８ｂ    連結部
３    ヒンジ部
４    プリント基板
５    サブＬＣＤモジュール
５１    サブＬＣＤホルダ
５１１    係止腕
５１２ａ，５１２ｂ    係止部
５１３，５１４ａ，５１４ｂ    係止爪
５１５    フランジ部
５３    サブＬＣＤ用導光板
５４    フレキシブル基板
５５    サブＬＣＤ
５６    防塵用スポンジ
６０    カメラ部
７０    シャッターキー
１００，２００    折り畳み式携帯電話機
【図１】
2010114624.tif 000003
【図２】
2010114624.tif 000004
【図３】
2010114624.tif 000005
【図４】
2010114624.tif 000006
【図５】
2010114624.tif 000007
【図６】
2010114624.tif 000008
【図７】
2010114624.tif 000009
【図８】
2010114624.tif 000010
【図９】
2010114624.tif 000011